(57)【特許請求の範囲】
【請求項１】
電気通信システムのパケット無線サービス上で移動局とネットワークとの間で少なくとも１つの接続を形成することにより、少なくとも１つのデータフローを転送する方法であって、
前記少なくとも１つの接続は、１つまたはそれより多いパケットデータチャネル上のテンポラリーブロックフローを構成し、前記パケットデータチャネルの各々はダウンリンクＴＤＭＡ（時分割多元接続）フレームの異なるタイムスロットに割り振られており、そこでは少なくとも２つ同時のテンポラリーブロックフローが少なくとも２つのデータフローを転送するために割り振られており、さらにテンポラリーブロックフローに関するアップリンク制御情報はアップリンクＴＤＭＡフレームのタイムスロットに割り振られた関連アップリンク制御チャネル上を転送される方法において、
少なくとも２つ同時のダウンリンクテンポラリーブロックフローにそれぞれ関連する少なくとも２つの関連アップリンク制御チャネルは、同じ１つのアップリンクＴＤＭＡタイムスロット上を転送され、さらに前記少なくとも２つ同時のダウンリンクテンポラリーブロックフローの少なくとも１つは、１つまたは複数のダウンリンクＴＤＭＡタイムスロット上を転送され、前記ダウンリンクＴＤＭＡタイムスロットの各々は、前記少なくとも２つのアップリンク制御チャネル用に用いられるアップリンクＴＤＭＡタイムスロットに対応するダウンリンクＴＤＭＡタイムスロットとは異なっていることを特徴とするデータを転送する方法。
【請求項２】
前記アップリンク制御チャネルはダウンリンクメッセージ中に割り振られ、前記メッセージは、前記アップリンク制御チャネルに関する情報を含むことを特徴とする、請求項１に記載の方法。
【請求項３】
前記メッセージは、前記移動局にダウンリンクリソースを割り振るための、前記ネットワークから前記移動局へ送られるメッセージであることを特徴とする、請求項２に記載の方法。
【請求項４】
前記アップリンク制御チャネルに関する前記情報は、前記制御チャネル用のタイムスロットナンバーを備えることを特徴とする、請求項２に記載の方法。
【請求項５】
前記パケット無線サービスは、一般パケット無線サービス（ＧＰＲＳ）であることを特徴とする、請求項１に記載の方法。
【請求項６】
前記アップリンク制御チャネルは、前記ダウンリンクテンポラリーブロックフローに関連したパケット関連制御チャネル（ＰＡＣＣＨ）を備えることを特徴とする、請求項３または４に記載の方法。
【請求項７】
前記パケット関連制御チャネル（ＰＡＣＣＨ）の単独のアップリンクブロックは、前記ダウンリンクテンポラリーブロックフロー上を送られる相対予約ブロック期間フィールド（ＲＲＢＰ）で予約されることを特徴とする、請求項６に記載の方法。
【請求項８】
前記パケット関連制御チャネル（ＰＡＣＣＨ）は、前記テンポラリーブロックフローのテンポラリーフロー識別子（ＴＦＩ）およびタイムスロットナンバーを含むアップリンク制御情報を含むことを特徴とする、請求項６に記載の方法。
【請求項９】
前記少なくとも２つ同時のダウンリンクテンポラリーブロックフローが少なくとも２つのダウンリンクパケットデータチャネル上を転送され、アップリンクデータは少なくとも１つのパケットデータチャネル上を転送され、前記ダウンリンクパケットデータチャネルの数はアップリンクパケットデータチャネルの数よりも大きいことを特徴とする、請求項１に記載の方法。
【請求項１０】
前記アップリンク制御情報は、前記少なくとも１つのアップリンクパケットデータチャネルの１つにより使用される同じタイムスロット上を転送されることを特徴とする、請求項７に記載の方法。
【請求項１１】
前記アップリンク制御情報はアップリンクタイムスロット上を転送され、アップリンクタイムスロットナンバーは、前記少なくとも２つのテンポラリーブロックフローの１つを転送する前記パケットデータチャネルがその上に割り当てられるダウンリンクタイムスロットナンバーに対応することを特徴とする、請求項１に記載の方法。
【請求項１２】
電気通信システムのパケット無線サービス上で移動局とネットワークとの間で少なくとも１つの接続を形成することにより、少なくとも１つのデータフローを転送する電気通信システムであって、
前記少なくとも１つの接続は１つまたはそれより多いパケットデータチャネル上のテンポラリーブロックフローを構成し、前記チャネルの各々は、ダウンリンクＴＤＭＡ（時分割多元接続）フレームの異なるタイムスロットに割り振られており、そこでは少なくとも２つ同時のテンポラリーブロックフローが、少なくとも２つのデータフローを転送するために割り振られ、さらにテンポラリーブロックフローに関するアップリンク制御情報はアップリンクＴＤＭＡフレームの関連タイムスロットに割り振られた関連アップリンク制御チャネル上を転送される電気通信システムにおいて、
前記少なくとも２つ同時のテンポラリーブロックフローに関するアップリンク制御情報を、少なくとも２つの関連アップリンクリンク制御チャネル上をそれぞれ転送するための手段を備え、さらに前記少なくとも２つの関連アップリンク制御チャネルは同じ１つのアップリンクＴＤＭＡタイムスロット上を転送され、前記少なくとも２つ同時のダウンリンクテンポラリーブロックフローの少なくとも１つは、１つまたは複数のダウンリンクＴＤＭＡタイムスロット上を転送され、前記ダウンリンクＴＤＭＡタイムスロットの各々は、前記少なくとも２つのアップリンク制御チャネル用に用いられるアップリンクＴＤＭＡタイムスロットに対応するダウンタイムＴＤＭＡタイムスロットとは異なっていることを特徴とするデータを転送する電気通信システム。
【請求項１３】
前記アップリンク制御情報はアップリンクタイムスロット上を転送され、アップリンクタイムスロットナンバーは、前記少なくとも２つのテンポラリーブロックフローの１つを転送する前記パケットデータチャネルがその上に割り当てられるダウンリンクタイムスロットナンバーに対応することを特徴とする、請求項１２に記載の電気通信システム。
【請求項１４】
前記パケット無線サービスは一般パケット無線サービス（ＧＰＲＳ）であることを特徴とする、請求項１２に記載の電気通信システム。
【請求項１５】
電気通信システムのパケット無線サービス上で、少なくとも１つのデータフローを移動局とネットワークとの間の少なくとも１つの接続上で送受信するための手段を含む移動局であって、
前記少なくとも１つの接続は１つまたはそれより多いパケットデータチャネル上のテンポラリーブロックフローを構成し、前記チャネルの各々は、ダウンリンクＴＤＭＡ（時分割多元接続）フレームの異なるタイムスロットに割り振られており、そこでは少なくとも２つ同時のテンポラリーブロックフローが、少なくとも２つのデータフローを転送するために割り振られ、さらにテンポラリーブロックフローに関するアップリンク制御情報はアップリンクＴＤＭＡフレームの関連タイムスロットに割り振られた関連アップリンク制御チャネル上を転送される移動局において、
少なくとも２つ同時のテンポラリーブロックフローに関するアップリンク制御情報を、少なくとも２つの関連アップリンクリンク制御チャネル上をそれぞれ転送するための手段を含み、さらに前記少なくとも２つの関連アップリンク制御チャネルは同じ１つのアップリンクＴＤＭＡタイムスロット上を転送され、前記少なくとも２つ同時のダウンリンクテンポラリーブロックフローの少なくとも１つは、１つまたは複数のダウンリンクＴＤＭＡタイムスロット上を転送され、前記ダウンリンクＴＤＭＡタイムスロットの各々は、前記少なくとも２つのアップリンク制御チャネル用に用いられるアップリンクＴＤＭＡタイムスロットに対応するダウンタイムＴＤＭＡタイムスロットとは異なっていることを特徴とする移動局。
【請求項１６】
ダウンリンクメッセージフィールドを受信するための手段および決定されたダウンリンクテンポラリーブロックフローに関連する使用すべき前記アップリンク制御チャネルについての前記メッセージ情報を読み取るための手段を備えることを特徴とする、請求項１５に記載の移動局。
【請求項１７】
前記アップリンク制御チャネルについての前記情報は前記制御チャネル用のタイムスロットナンバーを備えることを特徴とする、請求項１６に記載の移動局。
【請求項１８】
少なくとも２つのダウンリンクパケットデータチャネル上の前記少なくとも２つの同時のダウンリンクテンポラリーブロックフローを受信するための手段と、少なくとも１つのパケットデータチャネル上でアップリンクデータを伝送するための手段とを備え、前記ダウンリンクパケットデータチャネルの数はアップリンクパケットデータチャネルの数よりも大きいことを特徴とする、請求項１５に記載の移動局。
【請求項１９】
前記アップリンク制御情報は、前記少なくとも１つのアップリンクパケットデータチャネルにより使用される同じタイムスロット上を転送されることを特徴とする、請求項１８に記載の移動局。
【請求項２０】
前記アップリンク制御情報はアップリンクタイムスロット上を転送され、アップリンクタイムスロットナンバーは、前記少なくとも２つのテンポラリーブロックフローの１つを転送する前記パケットデータチャネルがその上に割り当てられるダウンリンクタイムスロットナンバーに対応することを特徴とする、請求項１５に記載の移動局。
【請求項２１】
前記パケット無線サービスは一般パケット無線サービス（ＧＰＲＳ）であることを特徴とする、請求項１５に記載の移動局。
【発明の詳細な説明】
【０００１】
【発明の属する技術分野】
本発明は、パケット無線サービスにおいて情報を転送するための方法および装置に関する。本発明はさらに、送信デバイスと受信デバイスとの間のインターフェースにおける個々のパケット交換無線接続上のパケットデータ転送リソースに関する制御情報の転送技術に関する。
【０００２】
【従来の技術】
「移動体電気通信システム（ｍｏｂｉｌｅ  ｔｅｌｅｃｏｍｕｎｉｃａｔｉｏｎ  ｓｙｓｔｅｍ）」という呼称は一般に任意の電気通信システムを指し、このシステムは、移動局（ＭＳ）のユーザが当該システムのサービス地域内に位置する場合に、移動局と当該システムの固定部分との間のワイヤレス通信接続を可能にする。代表的な移動体通信システム（ｍｏｂｉｌｅ  ｃｏｍｕｎｉｃａｔｉｏｎ  ｓｙｓｔｅｍ）は公衆陸上移動ネットワーク（ＰＬＭＮ）である。本特許出願時に使用されていた移動体電気通信システムの大半はそのようなシステムの第２世代に属しており、公知の例はＧＳＭシステム（移動通信用広域システム）である。しかしながら、本発明は、ＵＭＴＳ（ユニバーサル移動体通信システム）として知られるシステムのような移動体電気通信システムの次世代、すなわち第３世代にも適用することができる。
【０００３】
マルチユーザ無線通信システムは、無線リソース（時間、周波数）を個々の無線接続に割り当てるために明確な手順を有していなければならない。本特許出願においては、多数の移動局と通信するように構成された基地局を各セルが含むセルラー無線システムにおけるパケット交換無線接続を特に検討する。一例として、公知のＧＰＲＳ（一般パケット無線サービス）について論じ、この既知のリソース割当て手順は、ＥＴＳＩ（ヨーロッパ電気通信規格協会）発行の技術仕様ＧＳＭ０４．６０号に規定されている［１］。
【０００４】
ＧＰＲＳ（一般パケット無線サービス）などのパケット交換ワイヤレスネットワークは、データサービス、例えばインターネットサービス、を高い費用効率で提供するように設計されている。ＧＰＲＳにおいては、チャネルは一人のユーザに継続的に割り当てられるのではなく、複数のユーザ間で共有される。これにより効率的なデータ多重化が容易になる。しかしながら、多様な種類のデータサービスはデータ接続のために様々な要件がある。例えば、過去数年の間にインターネットリアルタイムサービスは人気が高まり、ＩＰ（インターネットプロトコル）電話通信および種々のストリーミングアプリケーションはすでにインターネットにおいて一般的である。これらのサービスは、例えばファクシミリまたはｅメールメッセージの転送に比較して、データ接続のために様々な要件がある。したがって、データ転送のための接続は一般に、サービス品質（ＱｏＳ）要件などのサービス要件に応じて確立される。しかしながら、同じセッション中に多種類のサービスを用いる場合、複数の接続または「テンポラリーブロックフロー（ｔｅｍｐｏｒａｒｙ  ｂｌｏｃｋ  ｆｌｏｗ）」を用いる必要があり、その各々は特定のサービスタイプに割り当てられる。
【０００５】
従来技術の解決策の問題点と、本発明の着想をよりいっそう理解するため、従来技術のデジタルセルラー無線システムの構造を次に簡潔に説明し、次いでＧＰＲＳを前述の規格［１］のいくつかの部分を簡単に説明することによってより詳細に説明する。
【０００６】
図１は、従来公知のＧＳＭセルラー無線システムを示すものである。端末ＭＳは、基地局および基地局制御装置／無線ネットワーク制御装置ＲＮＣを含む無線アクセスネットワークＲＡＮに接続されている。セルラー無線システムのコアネットワークＣＮは、移動体サービス交換センター（ＭＳＣ）および関連する伝送システムを含んでいる。もしこのシステムがＧＰＲＳサービスをサポートすれば、コアネットワークは在圏ＧＰＲＳサポートノード（ＳＧＳＮ）およびゲートウェイＧＰＲＳサポートノード（ＧＧＳＮ）も含む。したがって、ＧＳＭから開発された、例えばＧＳＭフェーズ２＋規格は、ＧＰＲＳのような新しいサービスを提供し得る。新しいタイプの無線アクセスネットワークは、種々のタイプの固定コアネットワークＣＮと、そして特にＧＳＭシステムのＧＰＲＳネットワークと協動し得る。
【０００７】
図２は、一般パケット無線サービス（ＧＰＲＳ）の構造を示すものである。現在、ＧＰＲＳは、ＧＳＭシステムに基づいた新しいサービスであるが、将来は一般的になると考えられている。ＧＰＲＳは、ＧＳＭフェーズ２＋および３ＧＰＰ（第３世代パートナーシッププロジェクト）のＵＭＴＳの標準化作業の目的の１つである。ＧＰＲＳ稼動環境には、１つまたはそれより多いサブネットワークサービス領域を含まれ、これはＧＰＲＳバックボーンネットワークにより相互接続されている。あるサブネットワークは、多数のパケットデータサービスノード（ＳＮ）を備え、これらのパケットデータサービスノードは、本出願では、在圏ＧＰＲＳサポートノード（ＳＧＳＮ）１５３と呼ばれ、その各々は、移動データ端末１５１のために、いくつかの基地局１５２、つまり、セルを介してパケットサービスを提供できるように、移動体電気通信システムに（一般には、相互接続装置を通して基地局に）接続されている。中間移動体通信ネットワークは、ある１つのサポートノードと複数の移動データ端末１５１との間にパケット交換データ伝送を提供する。種々のサブネットワークが、ある１つの外部データネットワークへ、例えば公衆データネットワーク（ＰＤＮ）１５５へ、ＧＰＲＳゲートウェーサポートノードＧＧＳＮ１５４を介して順番に接続される。このようにして、移動体電気通信システムの適切な部分がアクセスネットワークとして機能するときに、ＧＰＲＳサービスにより、移動データ端末と外部データネットワークとの間のパケットデータ伝送を提供できる。
【０００８】
ＧＰＲＳサービスへアクセスするためには、移動局は最初に、ＧＰＲＳアタッチメントを実施して自己の存在をネットワークに知らせなければならない。このオペレーションによって、移動局とＳＧＳＮとの間に論理リンクが確立され、そして移動局が、ＧＰＲＳを経てのＳＭＳ（ショートメッセージサービス）１５８、１５９、ＳＧＳＮを介してのページング、そして到来するＧＰＲＳデータの通知について利用可能になる。より詳細には、移動局がＧＰＲＳネットワークにアタッチするとき、すなわちＧＰＲＳアタッチ手順において、ＳＧＳＮは、移動管理コンテキスト（ＭＭコンテキスト）を形成する。また、ユーザ認証は、ＧＰＲＳアタッチ手順においてＳＧＳＮにより実行される。ＧＰＲＳデータを送受信するためには、ＭＳは、ＰＤＰ起動手順（パケットデータプロトコル）を要求することにより、使用されるべきパケットデータアドレスを起動しなければならない。このオペレーションにより、対応するＧＧＳＮにおいて移動局が知られ、そして外部データネットワークとの相互接続が開始できる。より詳細には、ＰＤＰコンテキストが移動局、ＧＧＳＮおよびＳＧＳＮ内に形成される。パケットデータプロトコルコンテキストは、ＰＤＰタイプ（例えば、Ｘ．２５またはＩＰ）、ＰＤＰアドレス（例えば、Ｘ．１２１アドレス）、サービス品質（ＱｏＳ）およびＮＳＡＰＩ（ネットワークサービスアクセスポイント識別子）などの種々のデータ伝送パラメータを定義する。ＭＳは、ＰＤＰを特定メッセージ、起動ＰＤＰコンテキスト要求、で起動し、これは、ＴＬＬＩ、ＰＤＰ形式、ＰＤＰアドレス、要求されたＱｏＳおよびＮＳＡＰＩそして任意にアクセスポイント名（ＡＰＮ）に関する情報を与える。
【０００９】
図２も、以下のＧＳＭ機能ブロックを示すものである。すなわち、移動体交換センター（ＭＳＣ）／ビジターロケーションレジスタ（ＶＬＲ）１６０、ホームロケーションレジスタ（ＨＬＲ）１５７およびイクイップメントアイデンティティレジスタ（ＥＩＲ）１６１である。ＧＰＲＳシステムは通常、他の公衆地上移動ネットワーク（ＰＬＭＮ）１５６にも接続されている。
【００１０】
デジタルデータ伝送プロトコルを適用する機能は一般に、ＯＳＩ（オープンシステムズインターフェース）によるスタックとして記述され、そこでは、スタックの種々の層のタスクならびに層間のデータ伝送は正確に定義される。本特許出願においてディジタルワイヤレスデータ伝送システムの１例として観察されるＧＳＭシステムフェーズ２＋においては、５つのオペレーション層が定義されている。
【００１１】
プロトコル層間の関係が図３に例示してある。移動局ＭＳと基地局サブシステムとの間の最下位層のプロトコル層は層１（Ｌ１）２００、２０１で、これは物理的無線接続に対応している。その上には、標準ＯＳＩモデルの層２および３に対応するエンティティが位置し、そこでは最下位層は無線リンク制御／メディアアクセス制御（ＲＬＣ／ＭＡＣ）層２０２、２０３であり、その上にはＰＤＣＰ層２０４、２０５が位置し、最上位には無線リソース制御（ＲＲＣ）層２０６、２０７が位置する。一般無線アクセスネットワークの基地局サブシステムＧＥＲＡＮＢＳＳとコアネットワーク中に位置する相互接続ユニット／コアネットワークＩＷＵ／ＣＮとの間には、いわゆるＩｕインターフェースが適用されることが想定され、そこでは上述のＬ１からＰＤＣＰまでの層に対応する層は、ＯＳＩモデルの層Ｌ１およびＬ２（図中のブロック２０８および２０９）であり、さらに上述のＲＲＣ層に対応する層はＯＳＩモデルの層Ｌ３（図中のブロック２１０および２１１）である。
【００１２】
移動局ＭＳは、より高位の制御プロトコル２１２とより高位のアプリケーションをサービスするためのプロトコル２１３とを含まねばならず、前者は、データ伝送接続に接続された制御機能を実現するためにＲＲＣ層２０６と連絡し、後者は、ユーザに直接対応（例えば、ディジタル符号化通話）するようなデータを転送するためにＰＤＣＰ層２０４と直接連絡する。ＧＳＭシステムの移動局においては、ブロック２１２および２１３は上記のＭＭ層に含まれる。
【００１３】
ＧＰＲＳ中では、パケットデータチャネル上でデータパケットを転送するために、テンポラリーブロックフロー（ＴＢＦ）が形成される。ＴＢＦは、パケットデータのための物理的チャネル上の、上位ＰＤＣＰ層からのＰＤＣＰパケットデータユニット（ＰＤＵ）の一方向転送をサポートするための２つの相互に連絡している無線リソース（ＲＲ）ピアエンティティにより用いられる物理的接続である。アップリンクＴＢＦ（移動局から基地局へのデータ転送）とダウンリンクＴＢＦ（基地局から移動局へのデータ転送）とを別々に検討する。
【００１４】
アップリンクＴＢＦの間に、移動局は、転送すべきデータをプロトコルデータユニットすなわちＰＤＵに編成する。これらは、より小さな部分に順次分割され、これらはＲＬＣ層上のデータブロック内に分配され、ＲＬＣ層は、無線インターフェース上での情報転送に関する手順を定義する。各ＲＬＣデータブロックは、対応する識別番号ならびに、ＲＬＣデータブロックの内容および重要性に関連する情報を含む多数の関連フィールドを有する。ダウンリンクＴＢＦの間に、連続的なＲＬＣデータブロックの同様な配置がネットワークにより作られ、移動局へ伝送される。
【００１５】
このようにＴＢＦは、確認型／非確認型ＲＬＣモード、無線優先順位等のデータ転送用パラメータの決定されたセットを用いて確立される。既存のＴＢＦを有する移動局が異なるＲＬＣモードと共に上位層（またはＰＤＣＰ）ＰＤＵを転送する必要がもしあれば、既存のＴＢＦは解放され、新しいＴＢＦが新しいＲＬＣについて確立される。このことは、移動局が、アクセスチャネル（これらの最初のものが利用可能かどうかによって、パケットランダムアクセスチャネル（ＰＲＡＣＨ）またはランダムアクセスチャネル（ＲＡＣＨ））上で要求メッセージを最初に送信することにより、無線リソースの完全に新規な割り当てを要求しなければならないことを意味する。ネットワークは、アクセス認可チャネル（パケットアクセス認可チャネル（ＰＡＧＣＨ）またはアクセス認可チャネル（ＡＧＣＨ）、使用可能度について同じように考慮される）上で対応するメッセージを送信することにより、その要求を認可または拒否する。
【００１６】
ダウンリンク中では、ＲＬＣモードを変更するために、ネットワークは、既存のＴＢＦ割り当てを終了させるために移動局中に終了する終了タイマーを見込まなければならず、さらにＰＣＣＣＨまたはＣＣＣＨ（使用可能度に応じて、パケット共通制御チャネルまたは共通制御チャネル）上でパケットダウンリンク割り振りメッセージを送信することにより完全に新しいＴＢＦを確立しなければならない。
【００１７】
【発明が解決しようとする課題】
従来技術のシステムにおいては、異なるＲＬＣモード、異なる無線優先順位または異なるスループットクラスを用いてＰＤＣＰＰＤＵを同時に転送することはできなかった。これは困難な制約である。なぜならば、ＧＰＲＳシステムにおいては、移動局は種々のタイプのサービスをサポートすることがあり、したがって異なるパラメータと共にＰＤＣＰＰＤＵを同時に転送することが必要になり得るからである。特に、サポートされているサービスの１つがリアルタイムサービスであれば、既存のＴＢＦの解放およびそのサービスをサポートするための新しいＴＢＦの確立により引き起こされる遅れは容認できないであろう。
【００１８】
より高いビットレートは、新しいパケットデータサービスの標準化における最も重要なターゲットの１つである。サービスの柔軟性および端末の単純さは、他の重要な目的である。より高いビットレートを達成するため、端末は複数のタイムスロットを用い得る。このマルチスロット能力は、移動局が２つ以上のチャネルの送信および／または１つより多いチャネルの受信をＴＤＭＡフレーム内で行えることを意味する。大半のサービスシナリオは本質的に非対称であり、ダウンリンク中のトラフィックは一般にアップリンク方向におけるよりも高いと見られる。したがって、３＋１のようなトラフィックシナリオが導入されると、ダウンリンク方向には３つのタイムスロットが用いられかつアップリンク方向には１つのタイムスロットが用いられることを意味している。いくつのタイムスロットが割り当てられているかにかかわらず、各方向（アップリンク、ダウンリンク）において現行のＧＰＲＳ規格がサポートするのは、多くて１つの接続ＴＢＦ（テンポラリーブロックフロー）である。しかしながら、参考資料ＷＯ００／５４４６４［２］には、１つのデータ転送方向で少なくとも２つのＴＢＦを用い得る方法が開示されている。
【００１９】
接続は、その接続に用いられているすべてのＴＤＭＡタイムスロットＰＤＣＨ（パケットデータチャネル）における同じ識別子で識別される。この識別子は、ＧＰＲＳではＴＦＩ（テンポラリーフロー識別子）と呼ばれる。このＴＦＩは、ＴＢＦに用いられるすべてのＰＤＣＨ上で一意である。将来的にパケットデータサービスが広く用いられるようになったときに、１方向についてせいぜい１つの接続を有するということは不必要な制約であり、したがって同じ方向における複数の同時接続がサポートされ、これらは異なるかまたは同じテンポラリーブロックフロー識別子を用いて識別される。これは一般にマルチプルＴＢＦと呼ばれる。しかしながら、これらのシナリオは、現在規定されているマルチスロットクラスを想定して、制御シグナリングをどのように行うかということについてのどのような適用可能な解決策にも対処してこなかった。
【００２０】
以下では、ＴＢＦが確立されるときのＰＡＣＣＨ（パケット関連制御チャネル）発生を、アップリンク方向におけるデータについての異なる割り当て機構に応じて説明する［１］。このテキストにおいては、ＰＡＣＣＨ／ＵはＰＡＣＣＨのアップリンク部分を意味し、ＰＤＣＨ／ＤはダウンリンクＰＤＣＨを意味し、そしてＰＤＣＨ／ＵはアップリンクＰＤＣＨを意味する。
【００２１】
ダウンリンクＴＢＦの場合のみ、ＲＲＢＰフィールドはＰＡＣＣＨ／Ｕを予約するために用いられる。ＲＲＢＰ値は、単独のアップリンクブロックを規定し、その中では、移動局は、パケット制御確認メッセージまたはＰＡＣＣＨブロックをネットワークへ伝送する。任意のＤＬＰＤＣＨを受信したときは、ＲＲＢＰは同じアップリンクＰＤＣＨを参照する。
【００２２】
動的割り当て
移動局は、すべての割り振られたＰＤＣＨ上のあらゆるダウンリンクＲＬＣ／ＭＡＣブロックを復号しようと試みる。ＲＬＣ／ＭＡＣ制御ブロックを含むＲＬＣ／ＭＡＣブロックを移動局が受信するときはいつも、その移動局はその中に含まれているメッセージを解読しようと試みる。もしメッセージがその移動局をアドレスしていれば、移動局はそのメッセージにより作動する。
【００２３】
割り振られたＵＳＦ値を任意の割り振られたＰＤＣＨ上で移動局が検出するときはいつも、移動局は次のブロック期間中にその同じＰＤＣＨ上でＰＡＣＣＨブロックを伝送し得る。移動局は、ポーリング機構を介して割り当てられたどのアップリンク無線ブロック中にもＲＬＣデータブロックを伝送しない。
【００２４】
拡張動的割り当て
移動局は、監視されたすべてのＰＤＣＨ上であらゆるダウンリンクＲＬＣ／ＭＡＣブロックを復号しようと試みる。ＲＬＣ／ＭＡＣ制御ブロックを含むＲＬＣ／ＭＡＣブロックを移動局が受信したときはいつでも、移動局はその中に含まれているメッセージを解読しようと試みる。もしそのメッセージがその移動局をアドレスしていれば、移動局はそのメッセージで動作する。
【００２５】
ネットワークは、すべてのＰＡＣＣＨメッセージを、割り当ての最下位番号のタイムスロット上で運ばれるＰＤＣＨ上で伝送する。
【００２６】
移動局がいずれかの指定されたＰＤＣＨ上で割り振られたＵＳＦ値を検出したときはいつでも、移動局は、次のブロック期間内に同じＰＤＣＨ上でＰＡＣＣＨブロックを伝送できる。移動局は、ポーリング機構を介して割り当てられたどのようなアップリンク無線ブロックにおいてもＲＬＣデータブロックを伝送することはない。
【００２７】
固定割り当てアップリンク
マルチスロットクラスタイプ１移動局は、そのマルチスロット能力に従って、ＰＡＣＣＨブロックのダウンリンク用に割り振られたＰＤＣＨ上の無線ブロックを監視し、
−  もし無線ブロックが測定ギャップの一部として割り振られていなければ、そして、
−  アップリンクが無線ブロックの間に割り当てられなければ、
無線ブロック直後のＴIDタイムスロットのアップリンクは割り当てられない［３］、さらに
もし、その移動体がマルチスロットクラス１〜１２であれば、無線ブロック直前のＴraタイムスロットのアップリンクは割り当てられず［３］、
もし、その移動体がマルチスロットクラス１９〜２９であれば、無線ブロック直前のＴrbタイムスロットのアップリンクは割り当てられない［３］。
【００２８】
ネットワークは、そのようなギャップのセットを、ダウンリンクＰＡＣＣＨの伝送のため、アップリンク固定割り当て中に残す。
【００２９】
移動局は、測定ギャップ中を除き、ダウンリンクＰＡＣＣＨ用の割り当て中の１つのＰＤＣＨを監視する。ネットワークは、ＭＳマルチスロットクラスに従って、アップリンクリソース割り振り（ＤＯＷＮＬＩＮＫ＿ＣＯＮＴＲＯＬ＿ＴＩＭＥＳＬＯＴパラメータ）上のそのＰＤＣＨを示す。ＤＯＷＮＬＩＮＫ＿ＣＯＮＴＲＯＬ＿ＴＩＭＥＳＬＯＴパラメータは、ＴＢＦアップリンク用に用いられるタイムスロットナンバーを常に示す。
【００３０】
マルチスロットクラスタイプ２移動局は、ＰＡＣＣＨについてのすべての割り振られたＰＤＣＨを監視する。ただし、その移動局が現在のダウンリンクＴＢＦを持っている場合を除き、この場合にはダウンリンクＴＢＦについて割り振られたＰＤＣＨが優先される。
【００３１】
固定割り当てが消尽された後、移動局は、そのマルチスロットクラスに従って監視することが可能なすべての割り振られたＰＤＣＨの監視を続ける。
【００３２】
同時のアップリンクおよびダウンリンクＴＢＦの場合には、移動局はすべての割り振られたダウンリンクＰＤＣＨと監視可能な任意のアップリンクＰＨを監視する。
【００３３】
移動局は、ＡＬＬＯＣＡＴＩＯＮ＿ＢＩＴＭＡＰを介して割り当てられた任意のアップリンク無線ブロック上をＰＡＣＣＨブロックを伝送し得る。
【００３４】
同時のアップリンクおよびダウンリンクＴＢＦの場合には、移動局は、ポーリング機構を介して割り当てられたどのようなアップリンク無線ブロックにおいても、ＲＬＣデータブロックを伝送しない［１］（下位条項１０．４．４）。
【００３５】
次に、アップリンク制御の問題点を図４を参照してより詳細に説明する。図４は、ダウンリンクＴＤＭＡフレーム３０１およびアップリンクＴＤＭＡフレーム３０２を示すもので、どちらも８つのタイムスロットＴＮ０．．．ＴＮ７を有している。図４には、マルチスロットクラス４のＭＳを示す。すなわちダウンリンク中に３つのタイムスロットとアップリンク中に１つのタイムスロットである。アップリンクタイムスロットＴＮ１、ＴＮ２およびＴＮ３、３１０を用いたダウンリンクデータ転送中でアクティブな２つの並列接続がある。テンポラリーブロックフローＴＢＦ−ＡはタイムスロットＴＮ１およびＴＮ２上で転送され、テンポラリーブロックフローＴＢＦ−ＢはタイムスロットＴＮ３上で転送される。アップリンク方向には、１つの接続ＴＢＦ−Ｕがあり、これはアップリンクＴＮ２、３２２上に割り当てられる。もし接続が確認モデルＲＬＣを用いていれば、すべてのＴＢＦからのＲＬＣブロックは、マルチスロットクラスの制約のために、タイムスロット３２２上の同じアップリンクチャネルＰＡＣＣＨ／Ｕ（パケット関連制御チャネル／アップリンク）上で確認されなければならない。
【００３６】
アップリンク制御チャネルが、例えば確認メッセージを転送するために用いられ、このメッセージは、決定されたＴＢＦのダウンリンクデータ転送が成功したかどうかを知らせる。パケットダウンリンクａｃｋ／ｎａｃｋメッセージは、確認が関連しているテンポラリーブロックフローを識別する情報要素「グローバルＴＦＩ」を有している。もしネットワークが、２つの接続、例えばＴＦＩ−ＡおよびＴＦＩ−Ｂ、について同じＴＦＩ値を割り当てていたら、ダウンリンクＴＢＦは、パケットダウンリンクａｃｋ／ｎａｃｋメッセージ中で明確に識別されることはない。ＲＲＢＰ（相対予約ブロック期間）は、ＴＢＦについてそれ自体で使うことはできない。なぜならば、例えば前の例において、ＲＲＢＰは、ＴＮ１またはＴＮ３上に、許されないであろうブロックを予約し得るからである。
【００３７】
従来技術の問題点に対する解決策をもたらす方法およびシステムを提供することは本発明の目的である。特に、本発明の目的はシグナリングに対する解決法を提供することであり、これにより、１つのデータ転送方向において１つより多い接続（ＴＢＦ）およびタイムスロットを使用すること、ならびにアップリンク／ダウンリンクデータ転送用に非対称リソースを用いることが可能になる。
【００３８】
【課題を解決するための手段】
本発明の目的は、少なくとも２つのダウンリンクＴＢＦに関連しているアップリンク制御情報の転送用に同じ１つのアップリンク制御チャネルが用いられる手順を提供することにより実現される。これは、どのダウンリンクタイムスロット上で関係するＴＢＦが転送されるかの制御メッセージ情報をアップリンク中に含ませることにより達成される。これは、どのアップリンクタイムスロット上で決定されたＴＢＦに対応する制御情報が転送されるかの制御メッセージ情報をダウンリンク中に含ませることによっても好適に達成される。
【００３９】
ＧＰＲＳにおいては、本発明による方法は、ＭＳのマルチスロットクラスの制約に適合するため、異なるダウンリンクＰＤＣＨ／Ｄ上で割り振られた複数のダウンリンクＴＢＦのＰＡＣＣＨ／Ｕを単独のアップリンクＰＤＣＨ／Ｕ上で搬送することを考慮しており、その結果、標準［１］で現在規定されているような任意のマルチスロットクラスと共に多重ＴＢＦを使用することを考慮している。この方法は、ＰＡＣＣＨ（パケット関連制御チャネル）の新たに提案された用途に適合するために、ＲＲＢＰフィールドの今日の用途を拡張するための手段も提供する。
【００４０】
さらに、例えば、その特定のＴＢＦについての制御メッセージを送るためにどのアップリンクタイムスロットを用いるべきかをＭＳに知らせるために、ダウンリンクＴＢＦを割り振りまたはダウンリンクＴＢＦのリソースの再割り当てする一方で、新たなフィールド、ＵＰＬＩＮＫ＿ＣＯＮＴＲＯＬ＿ＴＩＭＥＳＬＯＴ、を導入することにより本発明を実施することができる。これに関連して、移動局がＰＡＣＫＥＴ  ＣＯＮＴＲＯＬ  ＡＣＫＮＯＷＬＥＤＧＥＭＥＮＴメッセージあるいはＰＡＣＣＨブロックをネットワークへ伝送するＵＰＬＩＮＫ＿ＣＯＮＴＲＯＬ＿ＴＩＭＥＳＬＯＴ上の単独のアップリンクブロックを特定するためにＲＲＢＰを用いることも好適である。
【００４１】
このように、本発明による方法は、少なくとも１つのデータフローを、移動局とネットワークとの間の少なくとも１つの接続を電気通信システムのパケット無線サービス上で形成することにより転送する方法であって、
少なくとも１つの接続は、ダウンリンクＴＤＭＡ（時分割多元接続）フレームのタイムスロットに割り振られているパケットデータチャネル上のテンポラリーブロックフローを構成し、そこでは少なくとも２つ同時のテンポラリーブロックフローが少なくとも１つのデータフローを転送するために割り振られ、さらにテンポラリーブロックフローに関するアップリンク制御情報はアップリンクＴＤＭＡフレームのタイムスロットに割り振られているアップリンク制御チャネル上を転送される方法において、
少なくとも２つ同時のダウンリンクテンポラリーブロックフローに関するアップリンク制御情報は、同じ１つのアップリンク制御チャネル上を転送され、さらに少なくとも２つ同時のダウンリンクテンポラリーブロックフローの少なくとも１つは、１つまたは複数のダウンリンクＴＤＭＡタイムスロット上を転送され、前記ダウンリンクＴＤＭＡタイムスロットの各々は、同じ１つのアップリンク制御チャネル用に用いられるアップリンクＴＤＭＡタイムスロットに対応するダウンリンクＴＤＭＡタイムスロットとは異なっている方法である。
【００４２】
本発明は、少なくとも１つのデータフローを、移動局とネットワークとの間の少なくとも１つの接続を電気通信システムのパケット無線サービス上で形成することにより転送するための電気通信システムにも適用され、
この少なくとも１つの接続は、ダウンリンクＴＤＭＡ（時分割多元接続）フレームのタイムスロットに割り振られているパケットデータチャネル上のテンポラリーブロックフローを構成し、そこでは少なくとも２つの同時のテンポラリーブロックフローが少なくとも１つのデータフローを転送するために割り振られ、さらにテンポラリーブロックフローに関するアップリンク制御情報はアップリンクＴＤＭＡフレームのタイムスロットに割り振られているアップリンク制御チャネル上を転送される電気通信システムにおいて、
少なくとも２つの同時のテンポラリーブロックフローに関するアップリンク制御情報を、同じ１つのアップリンク制御チャネル上を転送するための手段を備え、さらにこの少なくとも２つの同時のダウンリンクテンポラリーブロックフローの少なくとも１つは、１つまたは複数のダウンリンクＴＤＭＡタイムスロット上を転送され、前記ダウンリンクＴＤＭＡタイムスロットの各々は、同じ１つのアップリンク制御チャネル用に用いられるアップリンクＴＤＭＡタイムスロットに対応するダウンリンクＴＤＭＡタイムスロットとは異なっていることを特徴とする電気通信システムである。
【００４３】
本発明はさらに、少なくとも１つのデータフローを、移動局と電気通信システムのパケット無線サービス上のネットワークとの間の少なくとも１つの接続上で送信／受信するための手段を備える移動局に適用され、
この少なくとも１つの接続は、ダウンリンクＴＤＭＡ（時分割多元接続）フレームのタイムスロットに割り振られているパケットデータチャネル上のテンポラリーブロックフローを構成し、そこでは少なくとも２つの同時のテンポラリーブロックフローが少なくとも１つのデータフローを転送するために割り振られ、さらにテンポラリーブロックフローに関するアップリンク制御情報はアップリンクＴＤＭＡフレームのタイムスロットに割り振られているアップリンク制御チャネル上を転送される移動局において、
少なくとも２つの同時のテンポラリーブロックフローに関するアップリンク制御情報を、同じ１つのアップリンク制御チャネル上を転送するための手段を含み、さらにこの少なくとも２つの同時のダウンリンクテンポラリーブロックフローの少なくとも１つは、１つまたは複数のダウンリンクＴＤＭＡタイムスロット上を転送され、前記ダウンリンクＴＤＭＡタイムスロットの各々は、同じ１つのアップリンク制御チャネル用に用いられるアップリンクＴＤＭＡタイムスロットに対応するダウンリンクＴＤＭＡタイムスロットとは異なっていることを特徴とする移動局である。
【００４４】
本発明の好適な実施形態は従属クレーム中に提示してある。
【００４５】
以下では、添付の図面により本発明をより詳細に説明する。
【００４６】
図１、図２、図３および図４は、上記の従来技術の説明の中で説明した。以下では、本発明の方法を実施するための例証的実施形態を図５を参照して説明し、ＧＰＲＳ環境のさらなる例証的実施形態を図６を参照して説明する。また、ＧＰＲＳの実現において用い得るメッセージの例も説明する。最後に、本発明による移動局とセルラーシステムを図７および８ならびに図９を参照して簡潔に説明する。
【００４７】
図５には、移動局および基地局が通信当事者として概略的に示してある。この移動局と基地局とが、多数のユーザが利用可能な共通制御チャネルの一定の集合がありかつ必要に応じて個別の接続に対して専用通信チャネルを割り当て得るマルチユーザ環境中で動作しているものと仮定する。
【００４８】
斜線ブロック４０１はパケット交換接続の起動を表し、これは接続をセットアップする必要の初期の指示により開始する。初期の伝送は、ブロック４０１ａの上部の矢印で示されるように、共通制御チャネル上で行われ、ブロック４０１ａの下部の矢印で示されるように、共通チャネルまたは専用チャネル上でさらにいくらかの情報交換がこれに続き得る。通信チャネルは接続のニーズに対して割り当てられ、ブロック４０１ａ中の両頭矢印は、割り当てを確認するには双方向トラフィックが必要とされることがある事実を示している。専用通信チャネルは、データチャネル、制御チャネル、および／または必要によって他の種類のチャネルを備え得る。ダウンリンクパケットデータチャネルを割り振るためのダウンリンク制御メッセージも、本発明によれば、割り振られたダウンリンクデータチャネルに関連する制御メッセージのために移動局により使用されなければならないアップリンク制御チャネルについての情報を含み得る。そのようなメッセージはブロック４０１ｂに示してある。本発明によれば、ダウンリンクＴＤＭＡフレームの異なるタイムスロット上の異なるＴＢＦに関連する制御メッセージは、ＴＤＭＡフレームの共通タイムスロットを用いて伝送し得る。
【００４９】
ダウンリンクデータパケットの実際の伝送は、ブロック４０３により専用通信チャネル上で行われる。データフローは制御情報も含むことができ、したがって移動局に対して、関係しているダウンリンクＴＢＦに関連するアップリンク制御メッセージ用にアップリンクチャネルのどのブロックが割り当てられているかの情報を知らせることも可能である。このように、例えばタイムスロットをパケットデータチャネルおよび制御チャネル用に割り当てるためおよび／またはパケットデータフローのヘッダー中でデータブロックをアップリンク制御メッセージ用に割り当てかつ関連するダウンリンクＴＢＦに知らせるために、ダウンリンク制御をデータチャネル割り当てフェーズにおいて伝送することが可能である。
【００５０】
移動局は次に、ダウンリンクデータチャネル用に割り当てられたアップリンク制御チャネル上で受信したダウンリンクデータフローを確認する（４０４）。移動局は次に、制御メッセージ中に、どのダウンリンクＴＦＢにそれが関連しているかの情報を含める。本発明によれば、移動局は、制御メッセージ中に、どのタイムスロットが関連するダウンリンクＴＢＦにより使用されるかの情報も含め、それによってこのＴＢＦはネットワークにより明確に決定され得る。移動局は、関係するダウンリンクパケットデータチャンネルに関連する、測定結果のような、割り振られた制御チャネルについての他のシグナリングを伝送することもできる。
【００５１】
基地局は次に、パケットデータの転送を継続する（４０６）。もし前に転送したパケットデータが移動局によりうまく受信されない場合、基地局はこの情報を確認メッセージを介して取得し、送信すべき次のデータパケットに比較してより高い優先度でそのデータを再伝送する。ダウンリンクデータ転送は、制御メッセージと共に再度確認される（４０４）。フェーズ４０３〜４０６は、転送すべきダウンリンクデータがある限り繰り返すことができる。本発明は、ステップ４０３から４０６の繰返し数を限定するものではない。任意の現存の接続についてパケットの蓄積が消尽された後、その接続は既知の手順に従って終了し得る。
【００５２】
アップリンクＴＢＦの設定およびこれを介したＲＬＣデータブロックのフローの伝送は既知の手順に従って行われるが、これは本発明の範囲外であり詳細に説明することはしない。これらの手順は通常、共通制御チャネルから開始する。もしアップリンクＴＢＦ設定の時点で、移動局と基地局との間にダウンリンクＴＢＦがすでに存在していれば、移動局は、ダウンリンクＴＢＦに関連したシグナリング機構を介してアップリンクＴＢＦの設定の初期要求を伝送する。そのような要求が通信されるメッセージは、パケットダウンリンクＡｃｋ／Ｎａｃｋメッセージであり、これを移動局がパケット関連制御チャネルすなわちＰＡＣＣＨ上を伝送する。本発明は、ＴＢＦを最初に設定するために用いられる手順に対する何らの特定の制約も設定しないが、この設定が共通制御チャネル上で行われるものと見なすことは本発明の適用性を例証するものである。
【００５３】
図６には、ＧＰＲＳにおいて、本発明による方法においてパケットデータおよび制御データを転送するためにＴＤＭＡタイムスロットがどのように用いられるかについての例が示してある。ＴＤＭＡフレームは、同時のダウンリンクおよびアップリンクタイムスロットが次々に重なるように例示してある。移動局のマルチスロット能力を用いる場合には、ダウンリンクおよびアップリンクデータ転送は、同時のタイムスロット上に割り当てるべきではない。ネットワークは、チャネルおよび隣接セル測定を行うために、移動局がタイムギャップを必要とすることがあることも考慮に入れるべきである。
【００５４】
テンポラリーフロー識別子ＴＦＩ−Ａ、ＴＦＩ−ＢおよびＴＦＩ−Ｃを有する３つのテンポラリーブロックフローＴＢＦ−Ａ、ＴＢＦ−ＢおよびＴＢＦ−Ｃがある。ダウンリンクＴＤＭＡフレーム５０１のダウンリンクタイムスロットＴＮ０、ＴＮ１およびＴＮ２はそれぞれＴＢＦについて割り当てられている。アップリンクＴＤＭＡフレーム５０２のアップリンクタイムスロットＴＮ１またはＴＮ２、５２２は、アップリンクパケットデータおよび制御チャネルについて割り当て得る。異なるＰＤＣＨ／Ｄ上で割り振られた複数のダウンリンクＴＢＦのＰＡＣＣＨ／Ｕを単独のＰＤＣＨ／Ｕ上で伝達するためには、ＴＢＦの各々に関連した制御メッセージを区別できなければならない。ＴＦＩ値は、２つの異なるＰＤＣＨ上の２つの異なるＴＢＦにより用いられることがあるので、ＴＦＩ自身では、前に見られるように送られた制御メッセージのオーナー（ＴＢＦ）を識別するのに十分ではない。ＴＦＩは、対応するＴＢＦ用に用いられるすべてのＰＤＣＨ上で一意なので、タイムスロットナンバー（マルチスロットＴＢＦの場合には主要タイムスロットナンバー）は、制御メッセージが参照するＴＢＦを一意的に識別するために、新しいフィールドとして、制御メッセージ中のＴＢＦフィールドに追加される必要がある。ＴＦＩ値は、例えば以下のように決定し得る。
ＴＢＦ−Ａは、（ＴＦＩ＝９；ＴＮ＝１）で識別される。
ＴＢＦ−Ｂは、（ＴＦＩ＝９；ＴＮ＝２）で識別される。
ＴＢＦ−Ｃは、（ＴＦＩ＝１７；ＴＮ＝３）で識別される。
【００５５】
次に、いくつかの典型的なメッセージおよびデータフィールドを説明し、これらはＧＰＲＳにおいて本発明を実施するために用い得る。
【００５６】
ＲＲＢＰフィールド
この項では、ＲＲＢＰが現在どのように用いられているか、そして本発明により提案されているその新しい使用方法を説明する。ＲＲＢＰフィールド（相対予約ブロック期間）値は、移動局がパケット制御確認メッセージまたはＰＡＣＣＨブロックをネットワークへ伝送する単独のアップリンクブロックを指定する。
【００５７】
ＲＲＢＰはすべてのＲＬＣ／ＭＡＣデータブロック内に含まれており、ＲＬＣ／ＭＡＣ制御ブロック内に含まれ得る。ＲＬＣ／ＭＡＣデータブロックについては、ＲＲＢＰの有効性は（Ｅ）Ｓ／Ｐビット（フィールド）を介して知らされる。ＲＬＣ／ＭＡＣ制御ブロックについては、ＲＲＢＰは常に有効である。ＲＲＢＰがＰＤＣＨ上でＲＬＣ／ＭＡＣの一部として受信されるときは、アップリンクブロックがアップリンク中の同じＰＤＣＨ上（すなわち、同じＴＮを有する）で［１］（１０．４．５項）に示されるように予約される。
【００５８】
複数のＴＢＦがあるときにＲＲＢＰをこのように用いることは、前に述べたように、すべてのマルチスロットクラスに適合するわけではない。ＲＲＢＰが不在ということは、移動局にこの情報を送信するように命令するメッセージを形成するのでなければ、測定も確認ビットマップもネットワークによりＭＳに対してオーダできないことを意味する。したがって、ＲＲＢＰを用いるが、前に説明したようなＰＡＣＣＨ／Ｕの新しい使用法と共に用いることができるように、その定義を適合させることが提案されている。
【００５９】
【発明の実施の形態】
本発明の実施形態によれば、その特定のＴＢＦについて制御メッセージを送るためにどのアップリンクタイムスロットを用いるかの情報をＭＳに知らせるために、ダウンリンクＴＢＦの割り振りまたはダウンリンクＴＢＦのリソースの再割り当ての間に、新しいフィールド、ＵＰＬＩＮＫ＿ＣＯＮＴＲＯＬ＿ＴＩＭＥＳＬＯＴ、を導入することが提案されている。これに関連して、移動局がパケット制御確認メッセージまたはＰＡＣＣＨブロックをネットワークへ伝送するＵＰＬＩＮＫ＿ＣＯＮＴＲＯＬ＿ＴＩＭＥＳＬＯＴ上の単独のアップリンクブロックを指定するためにＲＲＢＰを用いることも提案されている。
【００６０】
ＭＳマルチスロットクラスを尊重するためには、もし移動局が新しいＴＢＦを異なるＰＤＣＨ上で取得したら、ＴＢＦのためのアップリンク制御タイムスロットは変更され得ることに留意すべきである。
【００６１】
パケットダウンリンク割り振り
このメッセージは、ネットワークによりＰＣＣＣＨまたはＰＡＣＣＨ上を移動局へ送られ、その移動局にダウンリンクリソースを割り振る。
【００６２】
固定割り当てＭＡＣモードで動作するように割り振られた移動局については、ネットワークは、規則的に反復する間隔を割り振ることができ、その間隔の間に移動局は隣接するセルパワーレベルを測定する。この割り振りメッセージの一部として受け取られた移動割り当てまたは参照周波数リストは、新しい割り振りが受け取られるかＭＳのそのようなＴＢＦが終了されるまで有効である。このメッセージは、非配布メッセージとして分類される。
【００６３】
0003884300.tif 000002
0003884300.tif 000003
【００６４】
次に、本発明の有利な実施形態による移動局および基地局サブシステムについて簡単に説明する。図７は、それ自体で遠隔基地局とのパケット交換無線接続を実施するための手段として公知のＧＳＭ無線トランシーバ６０１を備える移動局の概略を示す。パケットデータ部分６０２はＧＳＭ無線トランシーバに連結されている。送信および受信されたデータのソースおよびシンクはそれぞれアプリケーションブロック６０３であり、これとＧＳＭ無線トランシーバとの間のデータ伝送は、ＲＬＣデータブロックアセンブラ／ディスアセンブラ６０４を介して進む。ＴＢＦコントローラ６０５は、一方ではアプリケーションブロックにより表示されるニーズに応じて、他方ではネットワークから受信された設定要求に応じて、ＴＢＦの設定および維持を行う役割を果たしている。本発明によれば、ＴＢＦコントローラ６０５は、同じアップリンク制御チャネル上の少なくとも２つのＴＢＦに関する制御メッセージを構成し伝送するように配置されている。
【００６５】
図８には、本発明による移動局１００のより詳細なブロック図を示してある。この移動局は、基地局からの無線周波数信号を受信するためのアンテナ１０１を備えている。受信されたＲＦ信号は、スイッチ１０２によりＲＦ受信機１１１に導かれ、ここでＲＦ信号は増幅されディジタル変換される。その後、信号はブロック１１２において検出および復調される。復調器のタイプはシステム無線インタフェースにより決まる。ＱＡＭ復調器、またはＲＡＫＥ結合器が含まれ得る。インターリーブ解除はブロック１１３においてなされる。この後、信号は信号タイプ（通話／データ）に応じて処理される。受信されたパケットデータはラウドスピーカーで音声に変換でき、あるいは受信されたパケットデータは、ビデオモニタのような別個のデバイスにリンクさせることができる。制御ユニット１０３は、メモリ１０４中に記憶されているプログラムに応じて受信機ブロックを制御する。特に、この制御ユニットは、制御メッセージの受信およびアップリンク制御チャネル／タイムスロット上のメッセージ情報からの読み出しを制御し、これは所定のダウンリンクＴＢＦに関連する制御情報を伝送するために用いられるべきである。
【００６６】
信号の伝送においては、制御ユニットは、信号のタイプに応じて、信号処理ブロック１３３を制御する。ブロック１２１は、信号について暗号化およびインターリーブをさらに行う。ＴＤＭＡ送信機中では、ブロック１２２中で符号化データからバーストが形成される。バーストは、ブロック１２３においてさらに変調および増幅される。ＲＦ信号は、伝送用スイッチ１０２を介してアンテナ１０１へ導かれる。バーストおよびブロックの処理および伝送も制御ユニットにより制御される。特に、制御ユニットは、制御バーストの伝送を、これらが本発明に従って符号化されかつ伝送されるように、制御する。このように制御ユニットは制御バーストの形成を、これらが関連するＴＢＦについての情報により符号化されるように、制御する。さらに、チャネル選択は、割り振られた制御チャネルおよびタイムスロットが用いられるように、制御ユニットにより制御される。
【００６７】
図９には、複数の送信（ＴＸ）および受信（ＲＸ）ユニット７０１、パケット交換ネットワーク（ＧＰＲＳ）と通信するための伝送ユニット７０２ならびに無線接続とネットワーク接続との間のデータのマッピングを配置するための交差接続ユニット７０３を備える基地局の概要を例示してある。これは、一方ではネットワークから受け取った設定要求に応じて、他方では移動局から受け取った設定要求に応じて、ＴＢＦの設定および維持の役割を果たすＴＢＦコントローラ７０４も備えている。本発明によれば、ＴＢＦコントローラ７０４は、最初に複数のＴＢＦのための割り振りを行い、さらに例えば、ＴＢＦ用のアップリンク制御メッセージのためのアップリンクスロットナンバーについての情報を含む制御メッセージの構成および伝送を行うように手配される。これは、同じ１つの制御チャネル／タイムスロットと異なるＴＢＦに関する制御メッセージを受信するようにも手配される。
【００６８】
【発明の効果】
一般に、電気通信デバイス中での情報処理は、マイクロプロセッサの形の処理能力およびメモリ回路の形のメモリの配置中で行われる。そのような配置は、移動局および固定ネットワーク要素の技術からそれ自体知られている。既知の電気通信デバイスを本発明による電気通信デバイスに変換するには、上述の操作を実行するようにマイクロプロセッサに指示する命令セットをメモリ手段中に記憶させる必要がある。そのような命令の構成およびメモリ中への格納は公知の技術を必要とし、これは、本特許出願が教示するところと組み合わせた場合、当業者の能力の範囲内にある。
【００６９】
上記では、本発明による解決策の１つの実施形態を説明してきた。本発明による原理は、例えば、実施および使用範囲の細部を変更することにより、請求項により定義される範囲内で当然変更し得る。
【００７０】
上記の説明では、単独のパケット交換通信システムの特定の規格と厳密に関連する特定のメッセージおよび通信コンセプトの予約名を用いているが、本発明は、データサービス用専用チャネルの割り当てを伴うすべてのそのような通信システムに一般に適用可能であることに留意すべきである。移動局から複数の基地局へのまたはその逆のデータ転送があり得ることにも留意すべきである。
【００７１】
上記では、ＴＢＦ通信パラメータのいくつかの例が与えられている。しかしながら、ＴＢＦに関する識別、制御チャネルまたはタイムスロットナンバーを決定する他の多くの代替通信パラメータが適用し得る。
【００７２】
引用文献
［１］  デジタルセルラー通信システム（フェーズ２＋）；一般パケット無線サービス（ＧＰＲＳ）；移動局（ＭＳ）−基地局システム（ＢＳＳ）インタフェース；無線リンク制御／メディアアクセス制御（ＲＬＣ／ＭＡＣ）プロトコル（ＧＳＭ０４．６０バージョン６．１．０）；欧州電気通信規格協会（ＥＴＳＩ）
［２］  ＷＯ第００／５４４６４号
［３］  デジタルセルラー通信システム（フェーズ２＋）；無線パス上での多重化およびマルチアクセス（ＧＳＭ０５．０２バージョン５．１．０）；欧州電気通信規格協会（ＥＴＳＩ）
【図面の簡単な説明】
【図１】従来技術のセルラー通信システムを示す図である。
【図２】一般パケット無線サービス（ＧＰＲＳ）の構造を示す図である。
【図３】従来技術のセルラー通信システムのプロトコルレベルを示す図である。
【図４】典型的なマルチスロットシステムにおけるＴＤＭＡタイムスロットの使用を示す図である。
【図５】本発明による典型的な方法のシグナルフローダイアグラムを示す図である。
【図６】本発明による典型的なシステムにおけるＴＤＭＡタイムスロットの使用を示す図である。
【図７】本発明による典型的な移動局の基本部分を示す図である。
【図８】本発明による典型的な移動局のブロックダイアグラムを示す図である。
【図９】本発明による移動通信システムのための典型的な基地局の基本部分を示す。
【符号の説明】
１０２…スイッチ
１０３…制御ユニット
１０４…メモリ
１１１…ＲＦ受信機、Ａ／Ｄ変換器
１１２…検出、復調
１１３…暗号解読  インターリーブ解除
１２１…インターリーブ  暗号化
１２２…バースト
１２３…変調器、ＲＦ送信機
１３０…信号処理
１３１…キーボード
１３２…ディスプレイ
１３３…信号処理
７０２…ネットワーク伝送
７０３…交差接続回路
７０４…ＴＢＦコントローラ
【図１】
0003884300.tif 000004
【図２】
0003884300.tif 000005
【図３】
0003884300.tif 000006
【図４】
0003884300.tif 000007
【図５】
0003884300.tif 000008
【図６】
0003884300.tif 000009
【図７】
0003884300.tif 000010
【図８】
0003884300.tif 000011
【図９】
0003884300.tif 000012